(57)【要約】【課題】高角度コンベヤのためのばね保持器を提供すること。【解決手段】高角度コンベヤが、フレーム、下部コンベヤベルト、上部コンベヤベルト、および押圧組立体を含む。押圧組立体は、フレームに結合されたブラケットと、ブラケット上に支持されたローラと、フレームに結合されたばね支持体と、ブラケットとばね支持体との間に位置決めされたばねと、フレーム、ブラケット、およびばね支持体の群から選択された少なくとも１つにばねを結合するばね保持器とを含む。ばねは、押圧組立体が上部コンベヤベルトを下部コンベヤベルトの方へ付勢するように、ブラケットおよびローラを上部コンベヤベルトの方へ押しやる。【選択図】図１
2018104199.tif 000002
【特許請求の範囲】
【請求項１】
高角度コンベヤであって、
フレーム、
下部コンベヤベルト、
上部コンベヤベルト、および、
押圧組立体
を備え、前記押圧組立体が、
前記フレームに結合されたブラケットと、
前記ブラケット上に支持されたローラと、
前記ブラケットと前記フレームとの間に位置決めされたばねと、
前記フレームおよび前記ブラケットの群から選択された少なくとも１つに前記ばねを結合するばね保持器と
を含み、
前記ばねが、前記押圧組立体が前記上部コンベヤベルトを前記下部コンベヤベルトの方へ付勢するように、前記ブラケットおよび前記ローラを前記上部コンベヤベルトの方へ押しやる、高角度コンベヤ。
【請求項２】
前記ばね保持器がケーブルを含む、請求項１に記載の高角度コンベヤ。
【請求項３】
前記ばね保持器が、前記ケーブルの第１の端部に位置する第１のはめ輪、および、前記ケーブルの第２の端部に位置する第２のはめ輪をさらに含む、請求項２に記載の高角度コンベヤ。
【請求項４】
前記ばね保持器が、前記フレームに結合されたアイボルトをさらに含む、請求項３に記載の高角度コンベヤ。
【請求項５】
前記第１のはめ輪が、前記ばねに結合され、前記第２のはめ輪が、前記アイボルトに結合される、請求項４に記載の高角度コンベヤ。
【請求項６】
前記ケーブルが、前記ばねに結合された第１の端部、および、前記フレームに結合された第２の端部を含む、請求項２に記載の高角度コンベヤ。
【請求項７】
前記ケーブルが、前記ばねに結合された第１の端部、および、前記ブラケットに結合された第２の端部を含む、請求項２に記載の高角度コンベヤ。
【請求項８】
前記押圧組立体が、前記フレームに結合されたばね支持体をさらに含み、前記ばね支持体が、プレート、および、前記ばねと同軸に位置合わせされた円筒形の座を含む、請求項１に記載の高角度コンベヤ。
【請求項９】
前記ばねが、前記円筒形の座内に位置決めされる、請求項８に記載の高角度コンベヤ。
【請求項１０】
前記ばねが、前記円筒形の座の周りに位置決めされる、請求項８に記載の高角度コンベヤ。
【請求項１１】
前記ばね保持器が締結具を含む、請求項８に記載の高角度コンベヤ。
【請求項１２】
前記締結具が、前記プレートと前記円筒形の座との間に延在する、請求項１１に記載の高角度コンベヤ。
【請求項１３】
前記締結具が、前記ばねの外周面によって画定された内部空間の中まで延在する、請求項１１に記載の高角度コンベヤ。
【請求項１４】
前記ばね保持器が、第１の脚と、第２の脚と、前記第１の脚と前記第２の脚との間に延在する中間部分とを有するブラケットを含む、請求項８に記載の高角度コンベヤ。
【請求項１５】
前記ブラケットの前記中間部分が、前記ばねを貫通し、前記第１の脚および前記第２の脚が、前記ばね支持体の前記円筒形の座に結合される、請求項１４に記載の高角度コンベヤ。
【請求項１６】
コンベヤのための押圧組立体であって、
ローラを支持するブラケットと、
ばね支持体と、
前記ブラケットと前記ばね支持体との間に位置決めされたばねと、
前記ブラケットおよび前記ばね支持体の群から選択された少なくとも１つに前記ばねを結合するばね保持器と
を備え、
前記ばねが、前記ブラケットおよび前記ローラを前記ばね支持体から離れる方向へ押しやる、押圧組立体。
【請求項１７】
前記ばね保持器が、第１の端部に第１のはめ輪を有するケーブルを含み、前記第１のはめ輪が、前記ばねの円形部分に結合される、請求項１６に記載の押圧組立体。
【請求項１８】
前記ばね支持体が、プレート、および円筒形の座を含み、前記ばね保持器が、前記プレートと前記円筒形の座との間に延在する締結具を含み、前記締結具が、前記ばねの外周面によって画定された内部空間の中まで延在する、請求項１６に記載の押圧組立体。
【請求項１９】
前記締結具が、前記円筒形の座内に形成された穴を貫通する、請求項１８に記載の押圧組立体。
【請求項２０】
前記ばね支持体が、円筒形の座を含み、前記ばね保持器が、前記ばねを貫通して前記円筒形の座に結合されるブラケットを含む、請求項１６に記載の押圧組立体。
【発明の詳細な説明】
【技術分野】
【０００１】
[0001]本発明は、高角度コンベヤに関し、より具体的には、高角度コンベヤのための押圧組立体（ｐｒｅｓｓｉｎｇ  ａｓｓｅｍｂｌｙ）に関する。
【先行技術文献】
【特許文献】
【０００２】
【特許文献１】米国特許第４，６０９，０９７号
【発明の概要】
【課題を解決するための手段】
【０００３】
[0002]１つの態様では、本発明は、フレームと、下部コンベヤベルトと、上部コンベヤベルトと、押圧組立体とを含む、高角度コンベヤを提供する。押圧組立体は、フレームに結合されたブラケットと、ブラケット上に支持されたローラと、ブラケットとフレームとの間に位置決めされたばねと、フレームおよびブラケットの群から選択された少なくとも１つにばねを結合するばね保持器とを含む。ばねは、押圧組立体が上部コンベヤベルトを下部コンベヤベルトの方へ付勢するように、ブラケットおよびローラを上部コンベヤベルトの方へ押しやる。
【０００４】
[0003]別の態様では、本発明は、ローラを支持するブラケットと、ばね支持体と、ブラケットとばね支持体との間に位置決めされたばねとを含む、コンベヤのための押圧組立体を提供する。押圧組立体は、ブラケットおよびばね支持体の群から選択された少なくとも１つにばねを結合するばね保持器をさらに含む。ばねは、ブラケットおよびローラを、ばね支持体から離れる方へ押しやる。
【０００５】
[0004]本発明の他の態様は、詳細な説明および添付の図面を考察することによって明らかになるであろう。
【図面の簡単な説明】
【０００６】
【図１】[0005]ばね保持器を有する押圧組立体を含む高角度コンベヤの斜視図である。
【図２】[0006]図１の押圧組立体のうちの１つの側面概略図である。
【図３】[0007]図１の押圧組立体のうちの１つの端面概略図である。
【図４】[0008]図１の線４−４に沿った、図１のばね保持器の部分断面図である。
【図５】[0009]本発明の別の実施形態によるばね保持器を有する押圧組立体の一部分の底面斜視図である。
【図６】[0010]図５の線６−６に沿った、図５のばね保持器の部分断面図である。
【図７】[0011]本発明の別の実施形態によるばね保持器を有する押圧組立体の一部分の底面斜視図である。
【図８】[0012]図７の線８−８に沿った、図７のばね保持器の部分断面図である。
【図９】[0013]本発明の別の実施形態によるばね保持器を有する押圧組立体の一部分の底面斜視図である。
【図１０】[0014]図９の線１０−１０に沿った、図９のばね保持器の部分断面図である。
【発明を実施するための形態】
【０００７】
[0015]本発明の任意の実施形態が詳細に説明される前に、本発明は、その用途において、以下の説明に提示される、または以下の図面に示される構成の詳細および構成要素の配置に限定されないことが、理解されるべきである。本発明は、他の実施形態が可能であるとともに、様々な方法で実践または実行されることができる。
【０００８】
[0016]図１を参照すると、フレーム１４と、連続的な下部コンベヤベルト１８と、連続的な上部コンベヤベルト２２と、押圧組立体２６とを有する高角度コンベヤ１０が、示されている。下部コンベヤベルト１８および上部コンベヤベルト２２は、水平に対して大角度で、下部コンベヤベルト１８と上部コンベヤベルト２２との間で物資（図３）を運搬するために、無限サンドイッチ構成（ｅｎｄｌｅｓｓ  ｓａｎｄｗｉｃｈ  ｃｏｎｆｉｇｕｒａｔｉｏｎ）で配置される。例えば、高角度コンベヤ１０は、最大で９０°の垂直までの急勾配の運搬角度で物資３０を搬送することができる。
【０００９】
[0017]図１〜３を参照すると、高角度コンベヤ１０のフレーム１４は、水平に対してある角度をなして延在し、かつ、上部フレーム部材３４、および側部フレーム部材３８を含む。いくつかの実施形態では、フレーム１４は、下部および上部のコンベヤベルト１８、２２と並んで上りになっている階段４２を含み得る。遊動ローラ組立体４６が、下部コンベヤベルト１８の下に位置決めされる。遊動ローラ組立体４６は、それぞれ、遊動フレーム５４上に回転可能に支持された遊動ローラ５０を含む。示された実施形態では、各遊動ローラ組立体４６における遊動ローラ５０は、遊動ローラ５０の回転軸５８（図３）が一列に並ばないように、位置決めされる（すなわち、遊動ローラ５０は、互いに交差する軸５８の周りで回転する）。遊動ローラ５０のそのような配置は、下部コンベヤベルト１８と上部コンベヤベルト２２との間に物資３０が受容される、溝（ｔｒｏｕｇｈ）形状を形成する（図３）。
【００１０】
[0018]図２を参照すると、下部コンベヤベルト１８および上部コンベヤベルト２２は、どちらも連続コンベヤベルトである。具体的には、下部コンベヤベルト１８は、下部運搬ベルト部分６２および下部帰還ベルト部分６６を含み、上部コンベヤベルト２２は、上部運搬ベルト部分７０および上部帰還ベルト部分７４を含む。下部帰還ベルト部分６６は、下部ベルト支持ローラ７８によって支持される。上部帰還ベルト部分７４は、フレーム１４に結合された上部ベルト支持ローラ８２によって支持される。
【００１１】
[0019]図１〜３を引き続き参照すると、押圧組立体２６は、フレーム１４に結合され、かつ、以下でさらに詳細に説明されるように、上部コンベヤベルト２２を下部コンベヤベルト１８の方へ付勢する。押圧組立体２６のそれぞれは、フレーム１４に枢動可能に結合されたブラケット８６を含む。ブラケット８６は、Ａ形フレーム９０およびローラ支持体９４を含む。示された実施形態では、Ａ形フレーム９０は、フレーム１４に枢動可能に結合され、ローラ支持体９４は、Ａ形フレーム９０に枢動可能に結合される。ローラ支持体９４は、上部コンベヤベルト２２に係合する押圧ローラ９８を回転可能に支持する。示された実施形態では、押圧ローラ９８は、２つの列に配置され（図２）、各列に４つの押圧ローラ９８が含まれる（図３）。具体的には、ローラ支持体９４は、押圧ローラ９８を回転可能に支持するリンク機構１０２を含む。
【００１２】
[0020]押圧組立体２６のそれぞれは、フレーム１４に結合されたばね支持体１０６をさらに含む。示された実施形態では、ばね支持体１０６は、例えば溶接法により、上部フレーム部材３４に固定される。ばね支持体１０６は、ボルト１１０、上部プレート１１４、および、ボルト１１０に対応するナット１２２の調整を介して上部プレート１１４に対して調整可能に位置決めされる下部プレート１１８を含む。ばね１３０が、押圧組立体２６のそれぞれに含まれ、かつ、ブラケット８６とフレーム１４との間に位置決めされる。示された実施形態では、ばね１３０は、ブラケット８６とばね支持体１０６との間に位置決めされている。
【００１３】
[0021]ばね支持体１０６は、下部プレート１１８から延在する円筒形の座１２６（すなわち、上部ばね座）をさらに含み、その中にばね１３０の上端部が受容される。示された実施形態では、円筒形の座１２６は、ばね１３０と同軸に位置合わせされている。同様に、押圧組立体２６のブラケット８６は、ばね１３０の下端部が受容される下部円筒形ばね座１３４を含む。示された実施形態では、ばね１３０は、円筒形ばね座１２６、１３４内に位置決めされて（すなわち、中に据え付けられて）いるが、代替実施形態では、ばね１３０は、円筒形ばね座１２６、１３４の周りに（すなわち、外側に）位置決めされ得る（例えば、図５〜６のばね座１２６Ｂ参照）。ばね１３０は、押圧組立体２６が上部コンベヤベルト２２を下部コンベヤベルト１８の方へ付勢してそれらの間に物資３０を固定するように、ブラケット８６および押圧ローラ９８を上部コンベヤベルト２２の方へ（すなわち、上部運搬ベルト部分７０の方へ、かつ、ばね支持体１０６から離れる方向に）押しやる。ナット１２２およびボルト１１０を介して上部プレート１１４に対する下部プレート１１８の位置を調整することにより、ばね１３０に予めかけられる張力の量が、オペレータによって調整され得る。言い換えれば、押圧組立体２６の休止状態においてばね１３０にかけられる圧縮の量は、上部プレート１１４に対して下部プレート１１８を再位置決めすることによって調整され得る。いくつかの実施形態では、下部プレート１１８の再位置決めは、最初にばね１３０を円筒形ばね座１２６、１３４間に組み付けて位置決めするためにも利用される。
【００１４】
[0022]典型的な高角度コンベヤの構造および動作に関するさらなる詳細は、Ｃｏｎｔｉｎｅｎｔａｌ  Ｃｏｎｖｅｙｏｒ  ａｎｄ  Ｅｑｕｉｐｍｅｎｔ  Ｃｏｍｐａｎｙ，Ｉｎｃ．，による米国特許第４，６０９，０９７号に見ることができ、その全内容は参照により本明細書に組み込まれる。
【００１５】
[0023]高角度コンベヤは、製造業者の規定の能力の範囲内で動作する限り、適切にかつ設計に従って機能する。しかし、その設計された容量を超えて（すなわち、規定の能力を外れて）高角度コンベヤに積載されると、高角度コンベヤの動作に伴う問題が生じる。例えば、いくつかの事例では、最大塊サイズ限界（ｍａｘｉｍｕｍ  ｌｕｍｐ  ｓｉｚｅ  ｌｉｍｉｔｓ）を上回る大型物体が、下部および上部のコンベヤベルト１８、２２の間に配置される。大量の物資３０または大型物体がコンベヤベルト１８、２２間に位置決めされて押圧組立体２６の下を通過すると、ばね１３０は過度に圧縮される。ばね１３０は、過度に圧縮されると、上部および下部のばね座１２６、１３４から押し出される（すなわち、放出される）。言い換えれば、大型の物資３０に適応するために押圧組立体２６が過度に偏向すると、ばね１３０は、ばね１３０によって生成されるばね力がばね１３０を所定の位置から飛び出させるほどに、圧縮される（すなわち、ばね１３０はゆがんで、ばね座１２６、１３４から解放される）。ばね１３０をばね座１２６、１３４から解放させることは、ばね１３０が長い距離を落下して、損害および傷害をもたらす可能性があるため、望ましくない。通常の動作状況下では、ばね１３０は所定の位置に適切に保持されるので、このばね１３０がばね座１２６、１３４から解放されることに関する問題は、当業者にとって明らかな問題にならなかったであろう。したがって、過度の圧縮により押圧組立体２６のばね１３０が解放されることに関する問題は、問題を解決するための本発明の様々な実施形態とともに本明細書において初めて提起されている。
【００１６】
[0024]図１〜４を参照すると、本発明の第１の実施形態によるばね保持器１５０が示されている。ばね保持器１５０は、ばね１３０を、フレーム１４、ブラケット８６、またはばね支持体１０６のうちの少なくとも１つに結合する。示された実施形態では、ばね保持器１５０は、ばね１３０をフレーム１４（すなわち、上部フレーム部材３４）に直接結合して示されている。ばね保持器１５０は、ケーブル１５４（例えば、スチールケーブル）を含む。ばね保持器１５０は、ケーブル１５４の第１の端部１６２に位置する第１のはめ輪１５８、および、ケーブル１５４の第２の端部１７０に位置する第２のはめ輪１６６をさらに含む。具体的には、図４を参照すると、取付具１７２が、第１のはめ輪１５８および第２のはめ輪１６６をケーブル１５４に固定する。ばね保持器１５０は、フレーム１４に結合されたアイボルト（ｅｙｅ  ｂｏｌｔ）１７４をさらに含む。代替実施形態では、アイボルト１７４は、ケーブル１５４の第２の端部１７０が固定され得る任意の適切な締結具とされ得る。さらなる代替形態では、ケーブル１５４は、ナイロン被覆を含む高強度ケーブル（例えば、航空用ケーブル）、ジップタイ、または十分な強度を有する任意の他の適切なケーブルとされ得る。
【００１７】
[0025]図４を参照すると、第１のはめ輪１５８は、ばね１３０に結合され、第２のはめ輪１６６は、アイボルト１７４に結合される。具体的には、第１のはめ輪１５８は、第１のはめ輪１５８および対応するケーブル１５４が過度の摩擦摩耗をもたらすことなくばね１３０に対して移動することができるように、ばね１３０の円形断面部分１７８を囲んで位置決めされる。同様に、第２のはめ輪１６６は、第２のはめ輪１６６および対応するケーブルが過度の摩擦摩耗をもたらすことなくアイボルト１７４に対して移動することができるように、アイボルト１７４の円形断面部分１８２を囲んで位置決めされる。したがって、ケーブル１５４の第１の端部１６２は、ばね１３０に結合され、ケーブル１５４の第２の端部１７０は、フレーム１４に結合される。代替実施形態では、ケーブル１５４の第２の端部１７０は、ばね１３０の周りの任意の適切な固定構造に結合される。例えば、さらなる代替実施形態では、ケーブル１５４の第２の端部１７０は、ブラケット８６またはばね支持体１０６のどちらかに結合される。
【００１８】
[0026]ばね保持器１５０により、ばね１３０は、ばね支持体１０６およびブラケット８６の周囲の位置に拘束される。したがって、過度に大きな物資が高角度コンベヤ１０を通過することが原因でばね１３０が上部および下部のばね座１２６、１３４から解放された場合、ばね１３０は、ばね保持器１５０により、高角度コンベヤ１０の残りの部分に固定されたままでいることになる。このようにして、ばね１３０は、自由落下するのではなくて、ばね１３０を直に取り囲む領域（すなわち、フレーム１４、ばね支持体１０６、ブラケット８６、等）に固定（すなわち、係留）される。
【００１９】
[0027]図５および６を参照すると、本発明の第２の実施形態によるばね保持器２５０が示されている。ばね保持器２５０は、締結具２５４（例えば、Ｌ形ボルト）を含む。Ｌ形ボルト２５４は、ばね支持体１０６の下部プレート１１８に結合される第１の端部２５８、および、円筒形ばね座１２６Ｂに結合される第２の端部２６２を含む。言い換えれば、Ｌ形ボルト２５４は、下部プレート１１８と円筒形の座１２６Ｂとの間に延在する。円筒形ばね座１２６Ｂは、ばね１３０が円筒形ばね座１２６Ｂの周りに位置決めされるように、より小さい直径を有すること以外は、図１〜４の円筒形ばね座１２６に似ている。
【００２０】
[0028]図５および６を引き続き参照すると、Ｌ形ボルト２５４の第１の端部２５８は、ねじ山が切られており、下部プレート１１８に形成された穴２６６を通り抜ける。対応するナット２７０が、第１の端部２５８を下部プレート１１８に固定する。第２の端部２６２は、円筒形ばね座１２６Ｂに形成された穴２７８を通り抜ける。示された実施形態では、穴２６６および穴２７８は、例えば、最初に第２の端部２６２を穴２７８に挿入し続いて第１の端部を穴２６６に挿入することによりＬ形ボルト２５４が組み付けられ得るように、Ｌ形ボルト２５４よりも直径が大きい。したがって、Ｌ形ボルト２５４は、ばね１３０の外周面２８６によって画定された内部空間２８２（図６）の中まで延在する。言い換えれば、Ｌ形ボルト２５４の一部分が、ばね１３０の中まで延在する（すなわち、ばねのコイル（ｃｏｉｌ）とコイルとの間を通る）。ばね保持器１５０と同様に、ばね保持器２５０は、ばね支持体１０６の周囲の位置にばね１３０を拘束して、ばね１３０を高角度コンベヤ１０の残りの部分に固定する。
【００２１】
[0029]図７および８を参照すると、本発明の第３の実施形態によるばね保持器３５０が示されている。ばね保持器３５０は、第１の脚３５８と、第２の脚３６２と、第１の脚３５８と第２の脚３６２との間に延在する中間部分３６６とを有する、Ｕ形ブラケット３５４を含む。Ｕ形ブラケット３５４の中間部分３６６は、ばね１３０を貫通し、第１の脚３５８および第２の脚３６２のそれぞれは、ばね支持体１０６の円筒形の座１２６に結合される。具体的には、締結具３７０が、第１および第２の脚３５８、３６２を円筒形の座１２６に固定する。中間部分３６６は、ばね１３０が受容される円筒形の座１２６によって画定された開口部１２８を、部分的に覆う。したがって、ばね保持器３５０が組み立てられると、ばね１３０は、ばね支持体１０６に固定される。ばね保持器１５０、２５０と同様に、ばね保持器３５０は、ばね支持体１０６の周囲の位置にばね１３０を拘束して、ばね１３０を高角度コンベヤ１０の残りの部分に固定する。
【００２２】
[0030]図９および１０を参照すると、本発明の第４の実施形態によるばね保持器４５０が示されている。ばね保持器４５０は、締結具４５４（すなわち、Ｌ形ボルト）を含む。Ｌ形ボルト４５４は、ばね支持体１０６の下部プレート１１８に結合される第１の端部４５８、および、円筒形ばね座１２６に結合される第２の端部４６２を含む。言い換えれば、Ｌ形ボルト４５４は、下部プレート１１８と円筒形の座１２６との間に延在する。示された実施形態では、ばね１３０は、円筒形の座１２６内に受容される。Ｌ形ボルト４５４の第１の端部４５８は、ねじ山が切られており、下部プレート１１８の中央に形成された穴４６６を通り抜ける。対応するナット４７０が、第１の端部４５８を下部プレート１１８に固定する。第２の端部４６２は、円筒形ばね座１２６に形成された穴４７８を通り抜ける。示された実施形態では、穴４６６および穴４７８は、組立を容易にするために、Ｌ形ボルト４５４よりも直径が大きい。したがって、Ｌ形ボルト４５４は、ばね１３０の外周面４８６によって画定された内部空間４８２（図１０）の中まで延在する。言い換えれば、Ｌ形ボルト４５４の一部分が、ばね１３０の中まで延在する（すなわち、ばねのコイルとコイルとの間を通る）。ばね保持器１５０、２５０、３５０と同様に、ばね保持器４５０は、ばね支持体１０６の周囲の位置にばね１３０を拘束して、ばね１３０を高角度コンベヤ１０の残りの部分に固定する。
【００２３】
[0031]本発明の様々な特徴および利点が、以下の特許請求の範囲に記載される。
【符号の説明】
【００２４】
１０  高角度コンベヤ
１４  フレーム
１８  下部コンベヤベルト
２２  上部コンベヤベルト
２６  押圧組立体
３０  物資
３４  上部フレーム部材
３８  側部フレーム部材
４２  階段
４６  遊動ローラ組立体
５０  遊動ローラ
５４  遊動フレーム
５８  回転軸
６２  下部運搬ベルト部分
６６  下部帰還ベルト部分
７０  上部運搬ベルト部分
７４  上部帰還ベルト部分
７８  下部ベルト支持ローラ
８２  上部ベルト支持ローラ
８６  ブラケット
９０  Ａ形フレーム
９４  ローラ支持体
９８  押圧ローラ
１０２  リンク機構
１０６  ばね支持体
１１０  ボルト
１１４  上部プレート
１１８  下部プレート
１２２  ナット
１２６  円筒形の座、円筒形ばね座、上部円筒形ばね座
１２６Ｂ  円筒形ばね座、円筒形の座
１２８  開口部
１３０  ばね
１３４  下部円筒形ばね座
１５０  ばね保持器
１５４  ケーブル
１５８  第１のはめ輪
１６２  第１の端部
１６６  第２のはめ輪
１７０  第２の端部
１７２  取付具
１７４  アイボルト
１７８  円形断面部分
１８２  円形断面部分
２５０  ばね保持器
２５４  締結具、Ｌ形ボルト
２５８  第１の端部
２６２  第２の端部
２６６  穴
２７０  ナット
２７８  穴
２８２  内部空間
２８６  外周面
３５０  ばね保持器
３５４  Ｕ形ブラケット
３５８  第１の脚
３６２  第２の脚
３６６  中間部分
３７０  締結具
４５０  ばね保持器
４５４  締結具、Ｌ形ボルト
４５８  第１の端部
４６２  第２の端部
４６６  穴
４７０  ナット
４７８  穴
４８２  内部空間
４８６  外周面
【図１】
2018104199.tif 000003
【図２】
2018104199.tif 000004
【図３】
2018104199.tif 000005
【図４】
2018104199.tif 000006
【図５】
2018104199.tif 000007
【図６】
2018104199.tif 000008
【図７】
2018104199.tif 000009
【図８】
2018104199.tif 000010
【図９】
2018104199.tif 000011
【図１０】
2018104199.tif 000012
【外国語明細書】
2018104199000001.pdf